(57)【特許請求の範囲】
【請求項１】
壁孔を貫通形成した壁体の正面開口部に配置される縁部材と、同壁孔内に配置される筒部材と、この筒部材と壁体との間に介設して一様な圧縮状態で止水作用を有する弾性シール部材とからなる壁貫通装置において、
上記縁部材および筒部材を壁体に一体固定する連結手段として、壁体の背面に係合当接するとともに背面側から筒部材を縁部材に密接固定する背面部材を設け、上記筒部材は、壁孔の内周面まで拡径可能な周回形状の拡径体により上記縁部材と別体に形成するとともに、上記弾性シール部材を全周に貼着し、かつ、前記弾性シール部材を前記正面開口部までの範囲に配置し、この弾性シール部材の一端と全周で接して前記縁部材と前記正面開口部との間に介設することで一様な圧縮状態で止水作用を有する弾性シール部材を設けたことを特徴とする壁貫通装置。
【請求項２】
前記縁部材と対向して相互に固定するための連結ステーを前記筒部材に設けたことを特徴とする請求項１に記載の壁貫通装置。
【請求項３】
前記拡径体は、周回形状の弾性体にその切断によって２つの自由端を形成し、これら２つの自由端を対向した切断部を形成してなることを特徴とする請求項１または請求項２に記載の壁貫通装置。
【請求項４】
前記背面部材は、半径方向に張出して壁体背面に及ぶ２つの張出体によって構成し、これら２つの張出体を壁孔の直径線上に支持する支柱を前記縁部材に設けたことを特徴とする請求項３に記載の壁貫通装置。
【請求項５】
前記拡径体は、周方向に分割した複数の分割体により、それぞれの自由端を対向した切断部を形成してなることを特徴とする請求項１または請求項２に記載の壁貫通装置。
【請求項６】
前記切断部は、それぞれの自由端に互いに対向当接するように折曲部を形成し、これら折曲部に及んで前記筒部材の外周の弾性シール部材を貼着してなることを特徴とする請求項３から請求項５のいずれかに記載の壁貫通装置。
【請求項７】
前記背面部材は、弾性的に拡径して壁体背面に係合可能な弾性係合部により構成し、この弾性係合部を前記縁部材に支持してなることを特徴とする請求項５または請求項６に記載の壁貫通装置。
【請求項８】
前記弾性係合部は、拡径方向に弾性的に作用する脚部を介して縁部材に支持したことを特徴とする請求項７に記載の壁貫通装置。
【請求項９】
前記拡径体は、壁孔の直径線を支軸として開閉動作可能に軸支した２つの半円弧体によって構成したことを特徴とする請求項１または請求項２に記載の壁貫通装置。
【請求項１０】
前記２つの半円弧体のそれぞれに前記背面部材を一体に構成したことを特徴とする請求項９に記載の壁貫通装置。
【請求項１１】
前記背面部材は２つの半円弧体のそれぞれから拡径方向に延びる張出板によって構成したことを特徴とする請求項１０に記載の壁貫通装置。
【発明の詳細な説明】
【技術分野】
【０００１】
この発明は、壁孔に固定される壁貫通装置の分野に係る。
【背景技術】
【０００２】
壁貫通装置は、弾性シール材を貼着した筒部および縁部からなる額縁材を固定手段で壁孔に固定する。この固定の際に、筒部の弾性シール材が摩擦で捲れたり千切れたりして隙間が生じることがある。この固定ミスは縁部に遮られるので、固定作業者は確認できない。このため、外壁を伝わる水滴が壁孔を通って内壁側に漏れる原因となっている。
【０００３】
そこで特許文献１では、ダルマ型リングの寸法をターンバックルで調節する。しかし、ダルマ型リングのターンバックル結合部には弾性シール材を貼着できないので、漏水の恐れがある。また、ダルマ型リングを壁にビス止めするので、ダルマ型リングがビス締付けにより歪んで隙間が生じ、漏水する恐れもある。さらに、壁孔の側にビス孔を形成するので、壁が崩壊して漏水する恐れもある。
【先行技術文献】
【特許文献】
【０００４】
【特許文献１】特許４１０６９４５号公報（第３〜４頁、図４〜５）
【発明の概要】
【発明が解決しようとする課題】
【０００５】
従来では、壁孔に固定する際に筒部の弾性シール部材が捲れたり千切れたりして隙間が生じ、漏水してしまう。
【０００６】
この発明は、隙間が生じることなく壁孔に固定でき、確実に防水可能な壁貫通装置を提供する。
【課題を解決するための手段】
【０００７】
請求項１に係る発明は、  壁孔を貫通形成した壁体の正面開口部に配置される縁部材と、同壁孔内に配置される筒部材と、この筒部材と壁体との間に介設して一様な圧縮状態で止水作用を有する弾性シール部材とからなる壁貫通装置において、上記縁部材および筒部材を壁体に一体固定する連結手段として、壁体の背面に係合当接するとともに背面側から筒部材を縁部材に密接固定する背面部材を設け、上記筒部材は、壁孔の内周面まで拡径可能な周回形状の拡径体により上記縁部材と別体に形成するとともに、上記弾性シール部材を全周に貼着し、かつ、前記弾性シール部材を前記正面開口部までの範囲に配置し、この弾性シール部材の一端と全周で接して前記縁部材と前記正面開口部との間に介設することで一様な圧縮状態で止水作用を有する弾性シール部材を設けたことを特徴とする。
【０００８】
（削除）
【０００９】
請求項２に係る発明は、請求項１に係る発明において、前記縁部材と対向して相互に固定するための連結ステーを前記筒部材に設けたことを特徴とする。
【００１０】
請求項３に係る発明は、請求項１または請求項２の発明において、前記拡径体は、周回形状の弾性体にその切断によって２つの自由端を形成し、これら２つの自由端を対向した切断部を形成してなることを特徴とする。
【００１１】
請求項４に係る発明は、請求項３に係る発明において、前記背面部材は、半径方向に張出して壁体背面に及ぶ２つの張出体によって構成し、これら２つの張出体を壁孔の直径線上に支持する支柱を前記縁部材に設けたことを特徴とする。
【００１２】
請求項５に係る発明は、請求項１または請求項２の発明において、前記拡径体は、周方向に分割した複数の分割体により、それぞれの自由端を対向当接した切断部を形成してなることを特徴とする。
【００１３】
請求項６に係る発明は、請求項３から請求項５に係る発明において、前記切断部は、それぞれの自由端に互いに対向当接するように折曲部を形成し、これら折曲部に及んで前記筒部材の外周の弾性シール部材を貼着してなることを特徴とする。
【００１４】
請求項７に係る発明は、請求項５または請求項６に係る発明において、前記背面部材は、弾性的に拡径して壁体背面に係合可能な弾性係合部により構成し、この弾性係合部を前記縁部材に支持してなることを特徴とする。
【００１５】
請求項８に係る発明は、請求項７に係る発明において、前記弾性係合部は、拡径方向に弾性的に作用する脚部を介して縁部材に支持したことを特徴とする。
【００１６】
請求項９に係る発明は、請求項１または請求項２の発明において、前記拡径体は、壁孔の直径線を支軸として開閉動作可能に軸支した２つの半円弧体によって構成したことを特徴とする。
【００１７】
請求項１０に係る発明は、請求項９に係る発明において、前記２つの半円弧体のそれぞれに前記背面部材を一体に構成したことを特徴とする。
【００１８】
請求項１１に係る発明は、請求項１０に係る発明において、前記背面部材は２つの半円弧体のそれぞれから拡径方向に延びる張出板によって構成したことを特徴とする。
【発明の効果】
【００１９】
請求項１に係る発明によれば、縁部材が壁体の正面開口部に、筒部材が壁孔内に配置され、弾性シール部材が筒部材と壁体との間に介設されて壁体内外が止水される壁貫通装置について、上記縁部材と筒部材が背面部材を連結手段として壁孔部に固定され、このとき、筒部材を縁部材と別体で周回形状の拡径体によって構成し、かつ全周の弾性シール部材を筒部材に貼着したことから、拡径体の外周に一体に貼着した弾性シール部材は、開口正面の作業視界内で、縮径状態の筒部材とともに壁孔内に収容でき、続いて筒部材を拡径することにより、弾性シール材が壁孔の内周面に密接されて一様に圧縮されるので、弾性シール部材の捲れや千切れを招くことなく、簡易な装着操作によって筒部材の全周に及ぶ安定した水密作用を確保することができる。
【００２０】
更に上記効果に加え、前記弾性シール部材を前記正面開口部までの範囲に配置し、この弾性シール部材の一端と全周で接して前記縁部材と前記正面開口部との間に介設することで一様な圧縮状態で止水作用を有する弾性シール部材を縁部材の背面側に設けたことで、壁孔内の弾性シール材と、正面開口部の弾性シール部材とが壁孔の正面開口端で屈曲して接することから、両者による屈曲する長い止水行程によって防水性が確保される。
【００２１】
請求項２に係る発明によれば、請求項１に係る発明の効果に加え、縁部材が連結ステーを介して筒部材と一体固定可能となることから、壁体の正面開口部における縁部材の取付け負荷を回避して壁体保護が可能となるので、壁体の耐久性の向上に伴って壁貫通装置の機能の長期にわたる安定化を図ることができる。
【００２２】
請求項３に係る発明によれば、請求項１または請求項２の効果に加え、自由端を対向当接した切断部を有する周回形状の弾性体により、切断部の分離で自在に変形可能な筒部材を簡易に構成することができる。
【００２３】
請求項４に係る発明によれば、請求項３に係る発明の効果に加え、壁孔の直径線に沿う支柱を縁部材に設け、壁体背面に及ぶ２つの張出体による背面部材を支持したことから、壁孔の正面開口内における背面部材の取付け操作によって壁貫通装置の装着が可能となる。
【００２４】
請求項５に係る発明によれば、請求項１または請求項２に係る発明の効果に加え、複数の分割体による自由端を対向当接した切断部により、その分離で変形自在な筒部材を簡易に構成することができる。
【００２５】
請求項６に係る発明によれば、請求項３から請求項５のいずれかに係る発明の効果に加え、対向当接可能に形成した自由端の折曲部のそれぞれに筒部材外周の弾性シール部材を貼着して切断部を構成したことから、切断部による変形自在な取扱いとともに対向当接状態における止水を確保することができる。
【００２６】
請求項７に係る発明によれば、請求項５または請求項６に係る発明の効果に加え、縁部材に設けた弾性係合部は、壁孔内への差込み操作により、壁体背面位置で拡径して背面部材として係合当接することから、簡易な操作によって壁貫通装置を装着することができる。
【００２７】
請求項８に係る発明によれば、請求項７に係る発明の効果に加え、拡径方向に作用する脚部が筒部材に拡径作用を及ぼすことから、周方向に分割した複数の分割体による拡径体を拡径位置に保持することができる。
【００２８】
請求項９に係る発明によれば、請求項１または請求項２の発明の効果に加え、直径線で軸支した２つの半円弧体による拡径体を開く方向に操作することによって筒部材を簡易に拡径することができる。
【００２９】
請求項１０に係る発明によれば、請求項９に係る発明の効果に加え、背面部材を一体化した筒部材と縁部材とにより壁貫通装置を簡易に構成することができる。
【００３０】
請求項１１に係る発明によれば、請求項１０に係る発明の効果に加え、筒部材から拡径方向に延びる張出板によって背面部材を形成したことから、筒部材の拡径によって壁体の背面に背面部材が作用して壁貫通装置を装着固定することができ、また、張出板を全周に形成することにより、背面の全周シールのための弾性シール部材を介設することが可能となる。
【図面の簡単な説明】
【００３１】
【図１】この発明に係る壁貫通装置の外観構成を示す斜視図である。
【図２】壁貫通装置の組立手順を示す断面図である。
【図３】壁貫通装置の組立完成状態を示す断面図である。
【図４】この発明の効果を説明する部分拡大断面図であり、（ａ）は発明、（ｂ）は従来である。
【図５】種々の可変形筒部材を示す正面図である。
【図６】２次防水構造を示す断面図（ａ），（ｂ）および斜視図（ｃ）である。
【図７】弾性係合部を備えた壁貫通装置の外観構成を示す斜視図である。
【図８】角柱状の可変形筒部材を備えた壁貫通装置の外観構成を示す斜視図である。
【図９】連結ステーを備えた壁貫通装置の外観構成を示す斜視図である。
【図１０】半割開閉構成の筒部の要部正面図（ａ）および装着状態の断面図（ｂ）である。
【図１１】別の構成例の半割開閉式の筒部正面図（ａ）および装着過程併記の断面図（ｂ）である。
【発明を実施するための形態】
【００３２】
以下、図面を参照しつつ、この発明の実施の形態を詳細に説明する。なお、各図面では、同一の又は相当する構成などには同一の符号を付す。
壁貫通装置は、壁体の正面開口部に配置される縁部材と、壁孔内に配置される筒部材と、壁体に装着固定する連結手段である背面部材と、筒部材の外周部の弾性シール部材とから構成され、筒部材は、縁部材と別体で拡径可能な可変形筒部材による拡径体として構成するとともに、その全周に弾性シール部材を貼着して構成する。
【００３３】
具体例として、図１の壁貫通装置では、弾性シール部材１１を全周に貼着した可変形筒部材１０，可変形筒部材１０と別体であって弾性シール部材２１を貼着した縁部材２０，および可変形筒部材１０に縁部材２０を連結する平面視コの字型の連結手段２４から額縁材が構成される。
【００３４】
次に図２，３により組立手順を説明する。
まず、壁Ｗの壁孔Ｈに可変形筒部材１０を固定する（図２（ａ））。図１に示した通り、可変形筒部材１０は、軸ａｘ方向の切断部１２を有するので、切断部１２の箇所で点線のように左右両側を軸ａｘ方向にずらせば壁孔Ｈより径をさらに小さく変形でき、弾性シール部材１１が捲れたり千切れたりすることなく固定できる。このように、可変形筒部材１０は、縁部材と別体で拡径可能な拡径体として機能し、弾性シール部材１１を無理なく、壁孔Ｈ内周面に一様に密接することができる。
【００３５】
続いて、可変形筒部材１０の一端に縁部材２０を密接させ、弾性シール部材１１，２１どうしを当接させる（図２（ｂ））。さらに、縁部材２０の径方向の支柱２２に対し、連結手段２４の板部２４Ａを当て、係合部２４Ｂを内壁へ近づける（図２（ｃ））。
【００３６】
ここで、支柱２２のボルト２３にナット２５を締めていくと、ナット２５が板部２４Ａを支柱２２に押し付ける。これにより、支柱２２と一体の縁部材２０が外壁を押し付け、板部２４Ａの係合部２４Ｂが支柱２２の両側から可変形筒部材１０を通って内壁に係合し、縁部材２０が可変形筒部材１０の一端に連結される（図２（ｄ））。最後に、ナット３１によりカバー３０を固定し、パイプＰを通すと組立が完了する（図３）。このように、連結手段２４は、半径方向に張出す張出体として支柱２２に取付け、壁体内面側に係合する背面部材として機能する。
【００３７】
図４により発明の効果を説明する。
図４（ｂ）の従来では、前述したように、弾性シール部材１２１が壁孔Ｈの中で捲れたり千切れたりして隙間が生じる。しかもこの固定ミスは縁部材１２０に遮られ、固定作業者は確認できない。このため、しばしば装飾模様が施される外壁の箇所ａに付いた水滴は、外壁と弾性シール部材１２１との間の箇所ｂを伝わり、壁孔Ｈの箇所ｃを通って内壁側に漏れる。
【００３８】
一方、図４（ａ）の発明では、可変形筒部材１０の径を壁孔Ｈよりさらに小さく変形できるので、弾性シール部材１１が捲れたり千切れたりすることなく壁孔Ｈに密着できる。また、可変形筒部材１０は縁部材２０と別体なので、固定作業者は縁部材２０に遮られることなく固定ミスを確認でき、修復できる。よって、外壁の箇所ａから箇所ｂまで水滴が伝わっても、箇所ｃを通ることはない。
【００３９】
また、連結手段２４により、可変形筒部材１０の一端に縁部材２０を密接させて両者の弾性シール部材１１，２１どうしを当接させるので、可変形筒部材１０の全周に弾性シール部材１１を貼着でき、ターンバックルを用いた特許文献１と比べて弾性シール部材１１を貼着できない箇所がなくなり、確実に防水できる。そして、弾性シール部材１１，２１どうしが当接する箇所ｘでも防水可能となり、防水性能が向上する。
【００４０】
さらに、支柱２２および連結手段２４により、可変形筒部材１０と縁部材２０とを連結するので、ビスやビス孔が不要となって可変形筒部材１０の歪みや壁Ｗの崩壊を防止でき、確実に防水できる。
【００４１】
さらに、図５（ａ）のように、切断部１２を内周側へ折り曲げて弾性シール部材１１を貼着した一対の折曲部１３を形成することで、固定の際に折曲部１３の弾性シール部材１１どうしが当接し、切断部１２が確実に防水される。
【００４２】
この他に、以下のバリエーションもある。
＜可変形筒部材＞
図１では、切断部１２を設けることで可変形筒部材１０の変形を容易とし、壁孔Ｈに固定しやすくしたが、この他にも例えば図５（ｂ）のように、複数の切断部１２を形成して可変形筒部材１０を分割すれば、可変形筒部材１０の変形がより容易になり、壁孔Ｈにいっそう固定しやすくなる。
【００４３】
＜２次防水＞
図６（ａ）のように、フードのような防水部材４０を外壁側に設けても良いし、図６（ｂ），（ｃ）のように、弾性シール部材１５を備えた縁部１４を可変形筒部材１０の他端に設けても良い。これらにより２次防水が可能となり、防水性能が向上する。
【００４４】
＜連結手段＞
図７のように、可変形筒部材１０の一端に縁部材２０を密接させると、可変形筒部材１０を通って内壁に係合する弾性係合部２６を、連結手段として縁部材２０にいくつか設けても良い。この弾性係合部２６は、縁部材２０および可変形筒部材１０を壁孔部に一体に装着固定する背面部材として機能し、可変形筒部材１０の歪みや壁Ｗの崩壊を防止できる上に、支柱２２が不要となって壁貫通装置内の貫通部分が広がり、用途が広がる。
【００４５】
なお、連結の際に、弾性係合部２６により可変形筒部材１０を壁孔Ｈの内周に押し付けても良い。可変形筒部材１０の弾性シール部材１１が壁孔Ｈの内周に押し付けられるので、確実に防水できる。この方法は、図８のように、可変形筒部材１０を角柱状として切断部１２で分割し、弾性シール部材１１が壁孔Ｈに密着しづらくなった場合に特に有効である。すなわち、角孔の直辺部について、弾性係合部２６の脚部が可変形筒部材１０を拡径する方向に弾性的に作用することにより、弾性シール部材１１による止水性を確保することができる。
【００４６】
図９のように、対をなす連結ステー１６，２７を連結手段として可変形筒部材１０および縁部材２０にいくつか設けても良い。図９ではボルト２８およびナット２９で連結する。可変形筒部材１０の歪みや壁Ｗの崩壊を防止できる上に、支柱２２が不要となって壁貫通装置内の貫通部分が広がり、用途が広がる。固定手段としては、例えば内壁側に押し当る係合部１７を可変形筒部材１０にいくつか設ける。この場合、点線のように可変形筒部材１０の径を壁孔Ｈよりさらに小さく変形させれば、外壁側からでも固定可能である。
【００４７】
＜開閉構成＞
次に、開閉構成の筒部材について説明すると、図１０に筒部の要部正面図（ａ）および装着状態の断面図（ｂ）を示すように、筒部材５１は、かまぼこ屋根状の２つの半円弧体５１ａ，５１ａをハトメ等の軸支部５２，５２により直径線で回動可能に連結して開閉式に構成する。２つの半円弧体５１ａ，５１ａには、それぞれ、弾性シール部材５３ａを貼着した縁部材５３と対向して締結用の螺合孔を設けた連結ステー５４…を壁孔Ｈの開口端位置で等分周位置に延出し、また、それぞれに張出板５５，５５を壁孔Ｈの他端となる位置で拡径方向に壁体の背面に係合可能に延出して全周に及ぶ背面部材を形成する。２つの半円弧体５１ａ，５１ａの外周には弾性シール部材５６を全周に一体貼着する。
【００４８】
上記構成の筒部材５１による壁貫通装置は、２つの軸支部５２，５２を通る直径線について２つの半円弧体５１ａ，５１ａを閉じるように回動することにより、筒部材５１を縮径した状態で壁孔Ｈ内に収容することができ、これを拡径するように開いて張出板５５，５５を壁体の背面に合わせることにより、弾性シール部材５６が無理なく拡径されて壁孔Ｈ内に密接されることにより全周止水が確保される。次いで、縁部材５３を連結ステー５４…に締結することにより、止水性を確保して壁体の壁孔部に壁貫通装置を装着固定することができる。
【００４９】
なお、上記張出板５５，５５については、分周形成することによっても壁貫通装置を同様に構成することができ、必要により全周に及ぶ背面部材５５，５５と壁体背面との間に全周に及ぶ弾性シール部材を介設することにより、長い止水行程を確保することができる。また、上記筒部材５１の装着は、特に壁孔Ｈの背面側からの操作に適合する。
【００５０】
また、別の構成例として、図１１に開閉式の筒部正面図（ａ）および装着過程を併記した断面図（ｂ）を示すように、筒部材６１は、かまぼこ屋根状の２つの半円弧体６１ａ，６１ａを丸孔嵌合部等の軸支部６２，６２によって直径線について回動可能に連結することにより、２つの軸支部６２，６２を通る軸線について開閉式に構成する。各半円弧体６１ａ，６１ａには、壁孔Ｈの後端位置で拡径方向に延出して壁体背面に係合する背面部材６５，６５をそれぞれ取付ける。この背面部材６５の取付基部には、弾性シール部材６３ａを貼着した縁部材６３と対向して締結用の螺合孔を形成した連結ステー６４を壁孔Ｈの開口端となる位置に形成する。２つの半円弧体６１ａ，６１ａの外周には、弾性シール部材６６を全周に一体貼着する。
【００５１】
上記構成の筒部材６１による壁貫通装置は、２つの軸支部６２，６２を通る直径線について２つの半円弧体６１ａ，６１ａを閉じるように回動することにより、筒部材６１を縮径した状態で壁体の壁孔Ｈ内に収容することができ、これを拡径するように開いて背面材６５，６５を壁体の背面に合わせることにより、弾性シール部材６６が無理なく拡径されて壁孔Ｈ内に密接されることにより全周止水が確保される。次いで、縁部材６３を連結ステー６４…に締結することにより、壁体前面側を含む止水性を確保して壁貫通装置を壁孔Ｈ部に装着固定することができる。
【００５２】
上述のとおり、本発明による壁貫通装置は、壁体の開口縁に配置する縁部材と、壁孔内に配置する筒部材と、壁体の背面に係合当接する背面部材とを壁体の壁孔部に一体に装着して構成され、上記筒部材は、拡径可能な可変形筒部材による拡径体として構成することにより、外周面に弾性シール部材を貼着して壁孔内に配置した上で、その拡径操作により弾性シール部材を傷めることなく筒部材と壁体との間に介設することができる。その結果、弾性シール部材が相互対向面間に一様に圧縮密接して全周におよぶ止水性を確保することができる。
【符号の説明】
【００５３】
１０    可変形筒部材（拡径体）
１１    弾性シール部材
１２    切断部
１３    折曲部
１４    縁部
１５    弾性シール部材
１６    連結ステー
１７    係合部
２０    縁部材
２１    弾性シール部材
２２    支柱
２４    張出体（背面部材）
２４Ｂ  係合部
２６    弾性係合部（背面部材）
２７    連結ステー
５１    筒部材（拡径体）
５１ａ  半円弧体
５２    軸支部
５３    縁部材
５３ａ  弾性シール部材
５４    連結ステー
５５    張出板（背面部材）
５６    弾性シール部材
６１    筒部材（拡径体）
６１ａ  半円弧体
６２    軸支部
６３    縁部材
６３ａ  弾性シール部材
６４    連結ステー
６５    背面部材
６６    弾性シール部材
１２０  縁部材
１２１  弾性シール部材
Ｗ    壁体
Ｈ    壁孔
【図１】
0005843353.tif 000002
【図２】
0005843353.tif 000003
【図３】
0005843353.tif 000004
【図４】
0005843353.tif 000005
【図５】
0005843353.tif 000006
【図６】
0005843353.tif 000007
【図７】
0005843353.tif 000008
【図８】
0005843353.tif 000009
【図９】
0005843353.tif 000010
【図１０】
0005843353.tif 000011
【図１１】
0005843353.tif 000012